(57)【要約】  スピーカ装置は、例えば、少なくとも高域の音を再生する、第１のスピーカユニットおよび第２のスピーカユニットを有し、第１のスピーカユニットおよび第２のスピーカユニットは、水平方向および鉛直方向を軸とする平面上に配置され、第１のスピーカユニットは、水平前方を向くように配置され、第２のスピーカユニットは、第１のスピーカユニットに対して略９０度をなす鉛直上方向を向くように配置され、第１のスピーカユニットが有する振動板固定面の中心を平面における原点に配置し、且つ、水平後方をＸと設定し鉛直上方向をＹと設定した場合に、第２のスピーカユニットが有する振動板固定面の中心の座標が、平面における下記の式により表される直線上に位置するように、第２のスピーカユニットが配置された構成を有する。（式）Ｙ＝−ａＸ＋ｂ（但し、ａ＞０，ｂ＞０，Ｘ＞０，Ｙ＞０）  図１
2015029303.tif 000002
【特許請求の範囲】
【請求項１】
少なくとも高域の音を再生する、第１のスピーカユニットおよび第２のスピーカユニットを有し、
前記第１のスピーカユニットおよび前記第２のスピーカユニットは、水平方向および鉛直方向を軸とする平面上に配置され、
前記第１のスピーカユニットは、水平前方を向くように配置され、
前記第２のスピーカユニットは、前記第１のスピーカユニットに対して略９０度をなす鉛直上方向を向くように配置され、
前記第１のスピーカユニットが有する振動板固定面の中心を前記平面における原点に配置し、且つ、水平後方をＸと設定し鉛直上方向をＹと設定した場合に、前記第２のスピーカユニットが有する振動板固定面の中心の座標が、前記平面における下記の式により表される直線上に位置するように、前記第２のスピーカユニットが配置された構成を有するスピーカ装置。
（式）Ｙ＝−ａＸ＋ｂ（但し、ａ＞０，ｂ＞０，Ｘ＞０，Ｙ＞０）
【請求項２】
前記第１のスピーカユニットに対して接続される第１のハイパスフィルタと、
前記第２のスピーカユニットに対して接続される第２のハイパスフィルタと
を有し、
前記第１のハイパスフィルタのカットオフ周波数と前記第２のハイパスフィルタのカットオフ周波数とが異なる値に設定された
請求項１に記載のスピーカ装置。
【請求項３】
前記第２ハイパスフィルタのカットオフ周波数が前記第１のハイパスフィルタのカットオフ周波数より大きい値に設定された
請求項２に記載のスピーカ装置。
【請求項４】
前記式におけるａおよびｂの値が、下記の範囲の値に設定される
請求項１に記載のスピーカ装置。
０．８５≦ａ≦１．９  ４６≦ｂ≦１０５  （単位：ミリメートル）
【請求項５】
前記第１のスピーカユニットおよび前記第２のスピーカユニットは、同一の有効直径を有し同一の形状とされる振動板をそれぞれ有する
請求項１に記載のスピーカ装置。
【請求項６】
前記第１のスピーカユニットおよび前記第２のスピーカユニットは、有効直径が２２ｍｍ以下であるドーム状の振動板を、それぞれ有する
請求項５に記載のスピーカ装置。
【請求項７】
前記第１のスピーカユニットおよび前記第２のスピーカユニットは、１０ｋＨｚ以上の帯域を含む音を再生する
請求項１に記載のスピーカ装置。
【請求項８】
前記第１のスピーカユニットおよび前記第２のスピーカユニットにより再生される音の帯域より低域を含む音を再生する、第３のスピーカユニットおよび第４のスピーカユニットを有し、
前記第３のスピーカユニットおよび前記第４のスピーカユニットは、前記第１のスピーカユニットに対して鉛直方向に整列されて配置される
請求項１に記載のスピーカ装置。
【請求項９】
前記第１のスピーカユニットが配置される第１の面と前記第２のスピーカユニットが配置される第２の面との間に、前記第１の面および前記第２の面に対して略４５度でもって除去された傾斜面が形成される
請求項１に記載のスピーカ装置。
【発明の詳細な説明】
【技術分野】
【０００１】
本開示は、スピーカ装置に関する。
【背景技術】
【０００２】
音を出力するスピーカユニットを複数、備えたスピーカ装置が提案されている（例えば、下記特許文献１および２を参照のこと）。
【先行技術文献】
【特許文献】
【０００３】
【特許文献１】実開平５−６３１９４号公報
【０００４】
【特許文献２】特開平３−２４８９９号公報
【発明の概要】
【発明が解決しようとする課題】
【０００５】
一般的なスピーカ装置においては、高音域（高域）になるにしたがって指向性が悪化するとともに、音響的エネルギーが不足し、高域における聴取範囲（リスニングエリア）が狭くなる傾向がある、という問題があった。【０００６】
したがって、本開示は、高域における聴取範囲の拡大を図ることを目的の一つとする。
【課題を解決するための手段】
【０００７】
上述した課題を解決するために、本開示は、例えば、
少なくとも高域の音を再生する、第１のスピーカユニットおよび第２のスピーカユニットを有し、
第１のスピーカユニットおよび第２のスピーカユニットは、水平方向および鉛直方向を軸とする平面上に配置され、
第１のスピーカユニットは、水平前方を向くように配置され、
第２のスピーカユニットは、第１のスピーカユニットに対して略９０度をなす鉛直上方向を向くように配置され、
第１のスピーカユニットが有する振動板固定面の中心を平面における原点に配置し、且つ、水平後方をＸと設定し鉛直上方向をＹと設定した場合に、第２のスピーカユニットが有する振動板固定面の中心の座標が、平面における下記の式により表される直線上に位置するように、第２のスピーカユニットが配置された構成を有するスピーカ装置である。
（式）Ｙ＝−ａＸ＋ｂ（但し、ａ＞０，ｂ＞０，Ｘ＞０，Ｙ＞０）
【発明の効果】
【０００８】
少なくとも一つの実施形態によれば、高域の音の聴取範囲を拡大できる。なお、ここに記載された効果は必ずしも限定されるものではなく、本開示中に記載されたいずれの効果であってもよい。また、以下の説明における例示された効果により本開示の内容が限定して解釈されるものではない。
【図面の簡単な説明】
【０００９】
【図１】第１の実施形態におけるスピーカ装置の外観の一例を示す斜視図である。
【図２】第１の実施形態におけるスピーカ装置の鉛直方向の指向性の一例を示すグラフ図である。
【図３】第１の実施形態におけるスピーカ装置の指向性の一例を示すグラフ図である。
【図４】第３のスピーカユニットの水平方向の指向性の一例を示すグラフ図である。
【図５】第１の実施形態におけるスピーカ装置のネットワークの構成の一例を示すブロック図である。
【図６】図６Ａは、フィルタの特性の一例を説明するための図であり、図６Ｂは、フィルタを通過した信号を説明するための図である。
【図７】第２のスピーカユニットの好ましい配置位置を説明するための図である。
【図８】第２のスピーカユニットの好ましい配置位置を説明するための図である。
【図９】第２の実施形態におけるスピーカ装置の外観の一例を示す斜視図である。
【図１０】第２の実施形態におけるスピーカ装置のネットワークの構成の一例を示すブロック図である。
【図１１】図１１Ａは、フィルタの特性の一例を説明するための図であり、図１１Ｂは、フィルタを通過した信号を説明するための図である。
【発明を実施するための形態】
【００１０】
以下、本開示の複数の実施形態について図面を参照しながら説明する。なお、説明は以下の順序で行う。
＜１．第１の実施形態＞
＜２．第２の実施形態＞
＜３．変形例＞
以下に説明する実施形態等は本開示の好適な具体例であり、本開示の内容がこれらの実施形態等に限定されるものではない。
【００１１】
なお、以下の説明において、スピーカ装置を所定の平面に載置した場合に、水平方向（所定の平面に平行な方向）における前方（正面）方向を水平前方と適宜、称し、水平方向における後方、すなわち、スピーカ装置の奥行き方向を水平後方と適宜、称する。また、水平方向と直交するスピーカ装置の鉛直方向における上方へ向かう方向を鉛直上方向と適宜、称し、スピーカ装置の鉛直方向における下方へ向かう方向を鉛直下方向と適宜、称する。これらの方向の規定は、後述する第１スピーカユニットと第２のスピーカユニットとの相対的な位置関係を説明するための便宜上のものであり、本開示の内容がこれらの方向に限定されるものではない。スピーカが載置される所定の平面は、水平な面に限らず、例えば、傾斜を有する面でもよい。
【００１２】
＜１．第１の実施形態＞
「スピーカ装置の外観の一例」
図１は、第１の実施形態におけるスピーカ装置の外観の一例を示す斜視図である。スピーカ装置１は、エンクロージャー１０１と、エンクロージャー１０１に設けられた複数のスピーカユニットとを有する。エンクロージャー１０１としては、バスレフ型、バックロードホーン型、音響パイプ型など公知の方式を適用することができる。
【００１３】
エンクロージャー１０１は、上面（天面）１０２と、底面１０３と、側面とを有する。例えば、上面１０２および底面１０３は、スピーカ装置１の奥行き方向に向かって幅がやや小さくなる略砲弾形状を成している。例えば、スピーカ装置１の側面は、湾曲した湾曲側面１０４と、水平前方へ向き鉛直下方向に向かって幅広となる取付平面１０５とを含む。さらに、取付平面１０５に対して所定の角度をなすようにして平面状側面１０６および平面状側面１０７が取付平面１０５の両側に形成されている。取付平面１０５と、平面状側面１０６と、湾曲側面１０４と、平面状側面１０７とによりスピーカ装置１の側面が連続的に形成されている。
【００１４】
スピーカ装置１は、音を再生するスピーカユニットとして、例えば、スピーカユニット１１０（第２のスピーカユニットの一例）と、スピーカユニット１１１（第１のスピーカユニットの一例）と、スピーカユニット１１２（第３のスピーカユニットの一例）と、スピーカユニット１１３（第４のスピーカユニットの一例）とを有する。音には人の声、音楽など、人の耳によって聴取される種々の音が含まれる。
【００１５】
スピーカユニット１１０およびスピーカユニット１１１は高域の音を再生するトゥイーターとしてスピーカ装置１に設けられている。高域とは、可聴帯域（例えば、２０Ｈｚ（ヘルツ）から２０ｋＨｚ）における比較的に高い周波数の帯域である。一例として、スピーカユニット１１０およびスピーカユニット１１１は、１０ｋＨｚ（キロヘルツ）以上の帯域を含む音を再生する。
【００１６】
スピーカユニット１１２は標準トゥイーターとしてスピーカ装置１に設けられている。なお、標準とは、スピーカユニット１１２の振動板の大きさが、トゥイーターの標準的な振動板の大きさと略同じ大きさという意味であり、それ以上の特別の意味を有するものではない。スピーカユニット１１３はウーハーとしてスピーカ装置１に設けられている。スピーカユニット１１２およびスピーカユニット１１３は、スピーカユニット１１０およびスピーカユニット１１１により再生される音の帯域より低い帯域を含む音を再生する。
【００１７】
スピーカユニット１１１、スピーカユニット１１２およびスピーカユニット１１３は、鉛直方向に整列されて取付平面１０５に設けられている。一例として、鉛直下方向から鉛直上方向に向かってスピーカユニット１１３、スピーカユニット１１２およびスピーカユニット１１１が順次、設けられている。スピーカユニット１１１、スピーカユニット１１２およびスピーカユニット１１３は、水平前方を向くように配置される。通常、スピーカ装置１は、スピーカユニット１１１、スピーカユニット１１２およびスピーカユニット１１３がリスナーに対して向けられて使用される。
【００１８】
スピーカユニット１１０は、上面１０２に設けられている。例えば、スピーカユニット１１０は、スピーカユニット１１１に対して略９０度をなす鉛直上方向に向くように配置されており、上面１０２におけるスピーカユニット１１１に隣接する位置に設けられている。
【００１９】
一実施形態におけるスピーカユニット１１０およびスピーカユニット１１１は、同一の直径（有効直径）を有し同一の形状とされる振動板を、それぞれ有する。スピーカユニット１１０およびスピーカユニット１１１は、例えば、直径が２２ｍｍ（ミリメートル）以下であり、ドーム状の振動板を、それぞれ有する。なお、この例では、振動板の直径を１９ｍｍとして説明する。もちろん、他の形状の振動板（例えば、リボン型）などでもよい。
【００２０】
スピーカユニット１１２は、例えば、直径が２５ｍｍであるドーム状の振動板を有する。スピーカユニット１１３は、例えば、直径が１３ｃｍ（センチメートル）であるコーン状の振動板を有する。
【００２１】
「スピーカ装置の指向性」
図２乃至図４は、周波数に対する音圧レベルを示すグラフである。グラフにおける横軸は周波数を示し、縦軸は音圧レベルを示している。
【００２２】
図２は、スピーカ装置１から出力される音の音圧レベルを示し、鉛直上方向における角度０度（正面）、１０度、２０度、３０度、４０度、５０度および６０度の、周波数に対する音圧レベルを示している。図３は、スピーカ装置１から出力される音の音圧レベルを示し、水平方向における角度０度（正面）、１０度、２０度、３０度、４０度、５０度および６０度の、周波数に対する音圧レベルを示している。図４は、スピーカユニット１１２単体から出力される音の音圧レベルを示している。
【００２３】
図４に示すように、振動板の直径が２５ｍｍであるスピーカユニット１１２においては、例えば、周波数が１０ｋＨｚ以上になると音圧レベルが急激に低下する。これに対して、振動板の直径が小型（例えば、１９ｍｍ）であるスピーカユニット１１０，１１１を用いたスピーカ装置１においては、周波数が１０ｋＨｚ以上でも音圧レベルの低下は緩やかである。すなわち、スピーカ装置１に対して小型（例えば、直径が２２ｍｍ以下）の振動板を有するスピーカユニットを使用することにより高域における優れた指向性を実現できる。
【００２４】
「スピーカ装置のネットワークの構成の一例について」
図５は、スピーカ装置１のネットワークの構成の一例を示す。正端子１４１および負端子１４２には、例えば、２チャンネル（ＬＲ）の音の信号のうちのいずれかの音の信号が入力される。なお、詳細な説明は省略するが、正端子１４１および負端子１４２に入力される音の信号は、前段において種々の公知の信号処理や増幅処理が施されたものである。音の信号は、ＣＤ(Compact Disc)やハードディスク等の記憶媒体から読み出されたものでもよく、インターネット等のネットワークを介して供給されたものでもよい。また、携帯型の再生機器から転送された音の信号であってもよい。
【００２５】
正端子１４１および負端子１４２に入力される音の信号は、例えば、サンプリング周波数が４４．１ｋＨｚ以上であり、量子化ビット数が１６ビット以上のものである。このような音の信号はハイレゾ音源（ハイレゾルーション音源の略）と称される場合がある。具体例を示せば、サンプリング周波数が９６Ｈｚで量子化ビット数が２４ビットの音の信号、サンプリング周波数が１９２Ｈｚで量子化ビット数が２４ビットの音の信号である。
【００２６】
スピーカ装置１に入力された音の信号Ｓ１は分岐されて、ローパスフィルタ（ＬＰＦ(Low Pass Filter)）１５０、ハイパスフィルタ（ＨＰＦ(High Pass Filter)）１５１、ハイパスフィルタ１５２およびハイパスフィルタ１５３のそれぞれに対して供給される。
【００２７】
ローパスフィルタ１５０はスピーカユニット１１３に対して接続される。ハイパスフィルタ１５１はスピーカユニット１１２に対して接続される。第１のハイパスフィルタの一例であるハイパスフィルタ１５２は、スピーカユニット１１１に対して接続される。第２のハイパスフィルタの一例であるハイパスフィルタ１５３は、スピーカユニット１１０に対して接続される。
【００２８】
図６Ａは、各フィルタの特性を模式的に示した特性図である。図６Ａにおける参照符号ａ１０はローパスフィルタ１５０の特性を示し、参照符号ｂ１０はハイパスフィルタ１５１の特性を示し、参照符号ｃ１０はハイパスフィルタ１５２の特性を示し、参照符号ｄ１０はハイパスフィルタ１５３の特性を示す。
【００２９】
図６Ｂは、各フィルタを通過し、各スピーカユニットにより再生される音を模式的に示したものである。なお、図６Ａおよび図６Ｂにおいて、横軸は周波数を示し、縦軸は音圧レベルを示している。図６Ｂにおける参照符号ａ１１はスピーカユニット１１３から再生される音を示し、参照符号ｂ１１はスピーカユニット１１２から再生される音を示し、参照符号ｃ１１はスピーカユニット１１１から再生される音を示し、参照符号ｄ１１はスピーカユニット１１０から再生される音を示す。
【００３０】
各フィルタのカットオフ周波数は、特定の周波数帯域における音圧レベルの低下（ディップ）を防止するように適切に設定される。さらに、この例では、音響的エネルギーのバランスを考慮しつつスピーカユニット間における干渉を防止するように、各フィルタのカットオフ周波数が適切に設定される。
【００３１】
例えば、上述したように、スピーカユニット１１２により再生される音は、２０ｋＨｚ付近で音圧のレベルが低下する。そこで、スピーカユニット１１１に接続されるハイパスフィルタ１５２のカットオフ周波数を２０ｋＨｚ付近、例えば、１８ｋＨｚに設定する。これにより、スピーカユニット１１２から出力される音の音圧レベルとスピーカユニット１１１から出力される音の音圧レベルとが連続的に繋がるようにすることができ、２０ｋＨｚ付近において音圧レベルの低下が生じることを防止できる。
【００３２】
一実施形態では、さらに、ハイパスフィルタ１５２のカットオフ周波数とハイパスフィルタ１５３のカットオフ周波数を異なるようにし、スピーカユニット１１１とスピーカユニット１１０が受け持つ再生帯域を異なるようにしている。例えば、ハイパスフィルタ１５３のカットオフ周波数がハイパスフィルタ１５２のカットオフ周波数より大きくなるように設定される。
【００３３】
例えば、周波数が２０ｋＨｚ付近における鉛直上方向４５度以上および水平方向４５度以上の範囲ではスピーカユニット１１１から再生される音の音圧レベルが低下し、指向性が悪化する。そこで、上述したようにハイパスフィルタ１５２のカットオフ周波数を１８ｋＨｚにした場合には、ハイパスフィルタ１５３のカットオフ周波数を、例えば、２２ｋＨｚに設定する。スピーカユニット１１０により再生される音により、スピーカユニット１１１の指向性が悪化する帯域における音響的エネルギーを補うことができる。また、スピーカユニット１１１とスピーカユニット１１０が受け持つ再生帯域を異なるようにすることにより、スピーカユニット１１１とスピーカユニット１１０との間で干渉が生じ、音質が低下することを防止できる。
【００３４】
また、スピーカユニット１１０とスピーカユニット１１１とが受け持つ再生帯域を異なるようにすることにより、スピーカユニット１１０およびスピーカユニット１１１を並列に駆動した場合にスピーカ装置１のインピーダンスが大幅に低下することを抑制できる。
【００３５】
なお、スピーカユニット１１２に対してバンドパスフィルタ(ＢＰＦ(Band Pass Filter)を接続してもよい。ただし、バンドパスフィルタを通過させることにより音の信号の位相が回転し、位相のずれが生じることを防止するために、好ましくは、スピーカユニット１１２に対してハイパスフィルタが接続される。
【００３６】
「スピーカユニットの配置位置の一例」
スピーカユニット１１１に対するスピーカユニット１１０の好ましい配置位置について説明する。スピーカユニット１１０およびスピーカユニット１１１は、スピーカ装置１の水平方向および鉛直方向を軸とする平面上に配置される。ここで、当該平面の原点にスピーカユニット１１１の所定位置を配置する。一例として、スピーカユニット１１１の振動板を固定する固定面（振動板固定面）の中心が当該平面の原点に配置される。
【００３７】
スピーカユニット１１１の位置を固定しつつ、スピーカユニット１１０の位置を変化させて音を聴取する試験を行った。図７は、試験の結果を示す。スピーカユニット１１０は、スピーカユニット１１１に対して鉛直上方向側かつ水平後方側に配置される。各矩形の枠は、スピーカユニット１１０の試験位置を示し、○が付された矩形が聴感上、好ましいスピーカユニット１１０の位置を示す。図７に示されるように、聴感上、好ましいとされたスピーカユニット１１０の位置は、一定範囲の位置に集約される。なお、聴感上、好ましいとは、例えば、高域の音をある程度、明瞭に聞くことができることを意味する。
【００３８】
図８は、聴感上、好ましいとされたスピーカユニット１１０の位置を直線により近似したグラフを示す。上述したように、水平後方をＸ軸とし、鉛直上方向をＹ軸とする平面を設定している。図８において、スピーカユニット１１１の振動板および振動板固定面が参照符号１１１ａ、１１１ｂによりそれぞれ模式的に示されている。また、スピーカユニット１１０の振動板および振動板固定面が参照符号１１０ａ、１１０ｂによりそれぞれ模式的に示されている。
【００３９】
聴感上、好ましいとされたスピーカユニット１１０の位置は、例えば、下記の式（１）により近似することができる。
Ｙ＝−ａＸ＋ｂ（但し、ａ＞０，ｂ＞０，Ｘ＞０，Ｙ＞０）・・・（１）
【００４０】
式（１）により規定されるスピーカユニット１１０の位置は、鉛直上方向および水平後方においてスピーカユニット１１１に近接した位置である。また、式（１）におけるａおよびｂの値は好ましくは、下記の範囲に設定される。なお、ａおよびｂの単位は、ミリメートルである。
０．８５≦ａ≦１．９
４６≦ｂ≦１０５
【００４１】
以上、説明したように、実施形態におけるスピーカ装置１によれば、高域の音を明瞭に再生することができるとともに、高域の音の聴取範囲を拡大することができる。このため、他の作業（例えば、立ちながらの家事作業）をしつつ音を聞く場合や、スピーカ装置の正面から外れた位置における音の聴取にも、実施形態におけるスピーカ装置は対応できる。
【００４２】
上述したように、例えば、小型かつ高指向性の上向きのトゥイーターのスピーカユニットを追加することにより指向性を改善できる。また、上向きのトゥイーターのスピーカユニットにより高域の音響的エネルギーを補うことができ、各帯域の音響エネルギーをリスニングルームにおいてバランスよく満たすことができる。
【００４３】
また、同一の帯域を再生するスピーカユニットを複数配置する場合には、当該スピーカユニット間における音の信号の干渉が問題となり得る。しかしながら、上述した実施形態において説明した適切な位置にスピーカユニットを配置することにより、スピーカユニット間の干渉を抑制できる。また、音の広がりが改善することにより聴取位置を拡大することができる。例えば、ハイレゾ音源等の高音質の音源を再生する場合に、スピーカ装置の正面から外れた位置においても音楽の聴取を楽しめるエリアを拡大することができる。
【００４４】
＜２．第２の実施形態＞
次に、第２の実施形態について説明する。なお、技術的な矛盾が生じない範囲で、第２の実施形態に対して第１の実施形態で説明した事項を適用することができる。
【００４５】
図９は、第２の実施形態におけるスピーカ装置の外観の一例を示す斜視図である。スピーカ装置２は、スピーカ装置１のエンクロージャー２０１と略同様の形状とされるエンクロージャー２０１と、エンクロージャー２０１に設けられた複数のスピーカユニットとを有する。エンクロージャー２０１は、バスレフ型、バックロードホーン型、音響パイプ型など公知の方式を適用することができる。
【００４６】
エンクロージャー２０１は、上面２０２と、底面２０３と、側面とを有する。例えば、上面２０２および底面２０３は、スピーカ装置２の奥行き方向に向かって幅がやや小さくなる略砲弾形状を成している。例えば、スピーカ装置２の側面は、湾曲した湾曲側面２０４と、水平前方へ向き鉛直下方向に向かって幅広となる取付平面２０５とを含む。さらに、取付平面２０５に対して所定の角度をなすようにして平面状側面２０６および平面状側面２０７が取付平面２０５の両側に形成されている。取付平面２０５と、平面状側面２０６と、湾曲側面２０４と、平面状側面２０７とによりスピーカ装置２の側面が連続的に形成されている。
【００４７】
スピーカ装置２は、音を再生するスピーカユニットとして、例えば、スピーカユニット２１０と、スピーカユニット２１１と、スピーカユニット２１３とを有する。
【００４８】
スピーカユニット２１０およびスピーカユニット２１１は、高域の音を再生するトゥイーターとしてスピーカ装置２に設けられている。スピーカユニット２１０は、第１の実施形態におけるスピーカユニット２１０に対応する構成である。スピーカユニット２１１は、第１の実施形態におけるスピーカユニット２１１に対応する構成である。
【００４９】
スピーカユニット２１１は、フルレンジの音を再生するスピーカとしてスピーカ装置２に設けられている。スピーカユニット２１１は、例えば、１０ｃｍの振動板を有する。
【００５０】
「スピーカ装置のネットワークの一例について」
図１０は、スピーカ装置２のネットワークの構成の一例を示す。正端子２４１および負端子２４２には、例えば、２チャンネル（ＬＲ）のステレオ信号のいずれか一方の音の信号が入力される。なお、正端子２４１および負端子２４２に入力される音の信号は、前段において種々の公知の信号処理や増幅処理が施されたものである。
【００５１】
スピーカ装置２に入力された音の信号Ｓ１は分岐されて、ローパスフィルタ２５０、ハイパスフィルタ２５１およびハイパスフィルタ２５２のそれぞれに対して供給される。
【００５２】
ローパスフィルタ２５０はスピーカユニット２１３に対して接続される。ハイパスフィルタ２５１はスピーカユニット２１１に対して接続される。ハイパスフィルタ２５２は、スピーカユニット２１０に対して接続される。
【００５３】
図１１Ａは、各フィルタの特性を模式的に示した特性図である。図１１Ａにおける参照符号ａ２０はローパスフィルタ２５０の特性を示し、参照符号ｂ２０はハイパスフィルタ２５１の特性を示し、参照符号ｃ２０はハイパスフィルタ２５２の特性を示す。
【００５４】
図１１Ｂは、各フィルタを通過し、各スピーカユニットにより再生される音を模式的に示したものである。なお、図１１Ａおよび図１１Ｂにおいて、横軸は周波数を示し、縦軸は音圧レベルを示している。図１１Ｂにおける参照符号ａ２１はスピーカユニット２１３から再生される音を示し、参照符号ｂ２１はスピーカユニット２１１から再生される音を示し、参照符号ｃ２１はスピーカユニット２１０から再生される音を示す。
【００５５】
各フィルタのカットオフ周波数は、特定の周波数帯域における音圧レベルの低下（ディップ）を防止するように適切に設定される。ハイパスフィルタ２５１のカットオフ周波数は、例えば、ローパスフィルタ２５０を通過した音の音圧レベルが低下する周波数帯域付近に設定される。これにより、スピーカユニット２１３から出力される音の音圧レベルとスピーカユニット１１１から出力される音の音圧レベルとが連続的に繋がるようにすることができる。
【００５６】
さらに、スピーカユニット２１３の指向性が悪化する帯域の音響的エネルギーを補いつつ、スピーカユニット２１０とスピーカユニット２１１との間での干渉を防止するように、フィルタのカットオフ周波数が適切に設定される。ハイパスフィルタ２５１のカットオフ周波数とハイパスフィルタ２５２のカットオフ周波数を異なるようにし、スピーカユニット２１１とスピーカユニット２１０が受け持つ再生帯域を異なるようにする。例えば、ハイパスフィルタ２５２のカットオフ周波数がハイパスフィルタ２５１のカットオフ周波数より大きくなるように設定される。
【００５７】
スピーカユニット２１０とスピーカユニット２１１とが受け持つ再生帯域を異なるようにすることにより、スピーカユニット２１０およびスピーカユニット２１１を並列に駆動した場合におけるスピーカ装置２のインピーダンスの大幅な低下を抑制できる。
【００５８】
以上、説明したように、スピーカ装置に対して設けられるスピーカユニットの個数等は、適宜、変更することができる。
【００５９】
＜３．変形例＞
以上、本開示の複数の実施形態について具体的に説明したが、本開示は、上述した複数の実施形態に限定されるものではなく、本開示の技術的思想に基づく各種の変形が可能である。
【００６０】
上述した実施形態におけるスピーカ装置の上面の周縁の一部に、略４５度でもって除去された傾斜面が形成されてもよい。例えば、上面１０２と取付平面１０５との間に、上面１０２および取付平面１０５に対して略４５度でもって除去された傾斜面１１８（図１参照）が形成されてもよい。また、上面１０２と平面状側面１０６および平面状側面１０７との間に、上面１０２および各平面状側面に対して略４５度でもって除去された傾斜面１１８が形成されてもよい。なお、これらの形成された傾斜面は、Ｃ面取り加工と称される場合がある。
【００６１】
傾斜面を形成することにより、バッフル板による回折を低減でき、音のにごり等の音質の劣化を防止することができる。なお、この傾斜面は、第２の実施形態におけるスピーカ装置に形成することもできる。
【００６２】
上述した第１の実施形態（第２の実施形態でもよい）において、スピーカユニット１１０から再生される音の音圧レベルをスピーカユニット１１１から再生される音の音圧レベルより小さくするようにしてもよい。
【００６３】
スピーカ装置の取付平面に凹凸を設け、凹部または凸部に対して、スピーカユニットが設けられる構成としてもよい。
【００６４】
本開示は、装置に限らず、方法、プログラム、システム等により実現することができる。プログラムは、例えば、ネットワークを介して、若しくは、光ディスクや半導体メモリ等の可搬型のメモリを介してユーザに提供し得る。
【００６５】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。
【００６６】
本開示は、以下の構成もとることができる。
（１）
少なくとも高域の音を再生する、第１のスピーカユニットおよび第２のスピーカユニットを有し、
前記第１のスピーカユニットおよび前記第２のスピーカユニットは、水平方向および鉛直方向を軸とする平面上に配置され、
前記第１のスピーカユニットは、水平前方を向くように配置され、
前記第２のスピーカユニットは、前記第１のスピーカユニットに対して略９０度をなす鉛直上方向を向くように配置され、
前記第１のスピーカユニットが有する振動板固定面の中心を前記平面における原点に配置し、且つ、水平後方をＸと設定し鉛直上方向をＹと設定した場合に、前記第２のスピーカユニットが有する振動板固定面の中心の座標が、前記平面における下記の式により表される直線上に位置するように、前記第２のスピーカユニットが配置された構成を有するスピーカ装置。
（式）Ｙ＝−ａＸ＋ｂ（但し、ａ＞０，ｂ＞０，Ｘ＞０，Ｙ＞０）
（２）
前記第１のスピーカユニットに対して接続される第１のハイパスフィルタと、
前記第２のスピーカユニットに対して接続される第２のハイパスフィルタと
を有し、
前記第１のハイパスフィルタのカットオフ周波数と前記第２のハイパスフィルタのカットオフ周波数とが異なる値に設定された
（１）に記載のスピーカ装置。
（３）
前記第２ハイパスフィルタのカットオフ周波数が前記第１のハイパスフィルタのカットオフ周波数より大きい値に設定された
（２）に記載のスピーカ装置。
（４）
前記式におけるａおよびｂの値が、下記の範囲の値に設定される
（１）乃至（３）のいずれかに記載のスピーカ装置。
０．８５≦ａ≦１．９  ４６≦ｂ≦１０５  （単位：ミリメートル）
（５）
前記第１のスピーカユニットおよび前記第２のスピーカユニットは、同一の有効直径を有し同一の形状とされる振動板をそれぞれ有する
（１）乃至（４）のいずれかに記載のスピーカ装置。
（６）
前記第１のスピーカユニットおよび前記第２のスピーカユニットは、有効直径が２２ｍｍ以下であるドーム状の振動板を、それぞれ有する
（５）に記載のスピーカ装置。
（７）
前記第１のスピーカユニットおよび前記第２のスピーカユニットは、１０ｋＨｚ以上の帯域を含む音を再生する
（１）乃至（６）のいずれかに記載のスピーカ装置。
（８）
前記第１のスピーカユニットおよび前記第２のスピーカユニットにより再生される音の帯域より低域を含む音を再生する、第３のスピーカユニットおよび第４のスピーカユニットを有し、
前記第３のスピーカユニットおよび前記第４のスピーカユニットは、前記第１のスピーカユニットに対して鉛直方向に整列されて配置される
（１）乃至（７）のいずれかに記載のスピーカ装置。
（９）
前記第１のスピーカユニットが配置される第１の面と前記第２のスピーカユニットが配置される第２の面との間に、前記第１の面および前記第２の面に対して略４５度でもって除去された傾斜面が形成される
（１）乃至（８）のいずれかに記載のスピーカ装置。
【符号の説明】
【００６７】
１，２・・・スピーカ装置
１１０，１１１，１１２，１１３・・・スピーカユニット
１５２，１５３・・・ハイパスフィルタ
１１０ｂ，１１１ｂ・・・振動板固定面
【図１】
2015029303.tif 000003
【図２】
2015029303.tif 000004
【図３】
2015029303.tif 000005
【図４】
2015029303.tif 000006
【図５】
2015029303.tif 000007
【図６】
2015029303.tif 000008
【図７】
2015029303.tif 000009
【図８】
2015029303.tif 000010
【図９】
2015029303.tif 000011
【図１０】
2015029303.tif 000012
【図１１】
2015029303.tif 000013
【国際調査報告】
2015029303.tif 000014
2015029303.tif 000015